(57)【要約】【課題】  複数枚挿入された券を一旦保留しておいた後、一枚ずつ保留した券を発行する一時スタック機構を装備するためには、多数枚を保留する場合、長い保留搬送路が必要であったり、一枚ずつ保留した券を発行するために、分離機構等繰り出しのための機構が必要であったり、装置の大型化、機構の複雑化を招いてしまう。【解決手段】  複数枚挿入された媒体を保留する際に、保留部で媒体を一枚ずつ段重ねにしてずらした状態で保留しておき、保留媒体を発行する際には、繰り出しローラに噛み込ませておいた媒体一枚を発行し、残った保留媒体を一括して搬送し、一枚分を繰り出しローラに噛み込ませて、次の媒体を発行する。この方式とすることで、機構を複雑化することなく、一時スタック用搬送路を短くすることが可能となる。【選択図】  図１
2005301710.tif 000002
【特許請求の範囲】
【請求項１】
複数枚挿入された媒体を一旦保留させておき、保留した媒体を順次に発行する発券装置であって、
前記挿入された複数の媒体の端部を一枚ずつ、ずらした状態で搬送路の中で重ね合わせて保留させる一時スタック機構を有することを特徴とする発券装置。
【請求項２】
請求項１に記載の発券装置であって、
前記一時スタック機構内にずらして重ね合わせた状態で保留している複数枚の媒体の内、搬送ローラに噛み込ませた少なくとも一枚の媒体を発行し、他の残りの保留された媒体を一括して搬送することを繰り返すことによって、保留された媒体を一枚ずつ順次発行することを特徴とする発券装置。
【請求項３】
複数枚挿入された媒体を一旦保留させておき、保留した媒体を順次に発行する発券方法であって、
挿入された複数の媒体の端部を一枚ずつ、ずらした状態で搬送路の中で重ね合わせて保留させるステップと、
前記複数枚の媒体の内、搬送ローラに噛み込ませた１枚の媒体を搬送して発行するステップと、
残りの他の保留された媒体を一括して搬送するステップと、
前記搬送された残りの媒体のうちの一枚を前記搬送ローラに噛み込ませるステップと、
からなる、保留された媒体を一枚ずつ順次発行する発券方法。
【発明の詳細な説明】
【技術分野】
【０００１】
本発明は、複数枚挿入可能で、挿入された媒体を一旦保留させておき、保留した媒体を順次に発行する一時スタック機能を持つ発券装置等に関し、特に複数枚を簡単かつ省スペースで一時スタックできる一時スタック機構に関する。
【背景技術】
【０００２】
従来の一時スタック機構としては、例えば、特開平１１−６６３６１号公報（特許文献１）に開示されているように、装置内に挿入された券を一時スタックする為の収納部と、収納部に券を送り込み、且つ収納部から券を分離し発行する機構部を持つ方式や、また、装置内に待避搬送路を設け、挿入された券を一枚ずつ間隔を空けて、待避搬送路に保留しておき、発行時には順次に保留した券を送り出す方式が知られている。
【０００３】
【特許文献１】特開平１１−６６３６１号公報（図２、段落（００１０）〜（００１５）参照）
【発明の開示】
【発明が解決しようとする課題】
【０００４】
特許文献１に開示された技術は、主に、券を一時スタックする為の収納部と、収納部に券を送り込み、且つ収納部から券を分離し発行する繰出し・分離機構部で構成され、挿入券を複数枚収納可能とし、収納した券を一枚ずつ発行するのに有効な方式である。
【０００５】
しかしながら、この公報に開示されたものは、券を収納するための充分なスペースが必要であり、なおかつ、発行時には収納した券を持ち上げる上下動作の機構が必要となる。また、収納した券を発行する際は、券を一枚ずつ分離しなければならず、リバースローラ等による分離手段が必要となる。そのため、機構が複雑化しコストアップや大きいスペースが必要となるという問題があった。
【０００６】
また、装置内に待避搬送路を設け、挿入された券を一枚ずつ間隔を空けて、待避搬送路に保留しておき、発行時には順次に保留した券を送り出す構成は、コスト面では有効であるが、装置の大型化を招いてしまう。
【０００７】
本発明の目的は上記の如き問題を解消し、簡単かつ低コストで複数枚の収納を省スペースで可能とし、一枚ずつ発行できる一時スタック機構を提供することにある。
【課題を解決するための手段】
【０００８】
上記目的を達成するため、本発明の一時スタック機構は、複数枚挿入された媒体を保留する際に、保留部で媒体を一枚ずつずらして段重ねにした状態で保留しておき、この時繰出し用ローラに保留媒体の一枚分のみ噛み込ませておく。保留媒体を発行する際には、繰出しローラに噛み込ませておいた媒体一枚を発行し、次に全ての保留された媒体を一括して搬送し、次の一枚分のみを再度繰出しローラに噛み込ませ、同様にして一枚発行する。この動作を繰り返し保留された媒体を順次発行する。
【発明の効果】
【０００９】
上記のような構成とすることで、複数枚スタックするための搬送路を短くすることが可能となり、また、収納された媒体を発行する際に一枚ずつ分離する機構も簡素となるため、省スペース化を可能とし、かつコストを抑えることもできる。
【発明を実施するための最良の形態】
【００１０】
図面に従って、本発明の実施例を説明する。
【実施例１】
【００１１】
以下、本発明の実施例では、航空券の発券装置を例にとって説明する。
図３は、本発明の一実施例を示す発券装置の側面構造図である。本発明の発券装置は、新券収納・発行部１、磁気記録機構部２、印刷機構部３、排出機構部４、券挿入機構部５、一時スタック機構部６、回収券回収部７により構成されている。
【００１２】
図３において、航空券の搭乗券印刷及び交換発券の場合について説明する。挿入口１１より挿入された券は、読み取り用磁気ヘッド１２にて券面情報を読み取り、印刷機構部３、磁気記録機構部２を通過し、一時スタック機構部６にて一枚ずつ順次に保留する。搭乗券印刷の場合は、保留しておいた券を一枚ずつ順次に送り出し、磁気記録機構部２で磁気情報を書き込み、次に印刷機構部３にて印刷を行ない、排出機構部４へと搬送し排出を行なう。
【００１３】
また、交換発券の場合については、同様にして一時スタック機構部６にて挿入された券を保留後、新券収納・発行部１より新券を発行し、磁気情報の書き込み、印刷処理を行ない排出する。なお、交換発券の場合、一時スタック機構部６にて保留された券は前述の新券発券処理後、順次に送り出し、廃券印刷等の廃券処理を行ない、回収部７で回収される。
【００１４】
上記の機構の内、本発明の特徴は一時スタック機構部６にあるので、以下、この機構について詳細に説明する。
図１は、図３における一時スタック機構部６の詳細図である。なお、保留券４１ａ、４１ｂ、４１ｃ、４１ｄ、４１ｅ、４１ｆは、搬送路中にあるものであるが、わかり易くするため機構部の上側に図示する。
【００１５】
ドライブローラ３２ａは券を保留部に送り込み、また、保留された券を発行する際には主搬送路（図１の磁気記録機構部２）へと送り出す。ドライブローラ３２ｂは保留された券の内、最後に保留された券一枚分のみを保持する。
【００１６】
なお、ドライブローラ３２ａ・３２ｂはタイミングベルト２８により駆動モータ２６と連結されており、ドライブローラ３２ｂは、クラッチ４２をＯＮすることにより駆動可能となる。また、ドライブローラ３２ａと３２ｂの間に券の送り込み、発行で、搬送ルートの切り替えを行う自然ゲート２１を装備している。また、センサ３７及び３８により、券の通過を検知する。
【００１７】
ドライブローラ３２ｃとプーリ３４は、タイミングベルト２９により駆動モータ２７と連結されている。プーリ３４の駆動により、搬送ベルト２４が駆動し、連結ギヤ３０、３１により搬送ベルト２５も駆動させる。つまり、搬送ベルト２４、２５は両側駆動となり、段重ねに保留された券を一括して安定に搬送できる。
【００１８】
また、プーリ３４と３６の間には、券一枚分と二枚分の厚みが入り込むことが可能とする必要があり、両プーリを垂直方向に対しずらして実装し、ベルト２４、２５のたわみにより二枚分の厚みが入り込めるようにする。従動ローラ３３ａ、３３ｂ、３３ｃは、バネ３５によりドライブローラ側に圧接させている。
【００１９】
次に、図１、図２、図３、図4により、本実施例による動作について説明する。
図３の挿入口１１より挿入された券は、読み取り用磁気ヘッド１２にて券面情報を読み取った後、印刷機構部３、磁気記録機構部２を通過し、一時スタック機構部６へと送り込む。
【００２０】
まず、一枚目に挿入された券４１ａについては、一時スタック機構部６で、図１の駆動モータ２６及び２７を時計方向に駆動し、保留部へと搬送する。ここで搬送方向に対しての券後端側がセンサ３８を通過後、駆動モータ２６、２７を反時計方向に駆動し、券４１ａを発行方向に戻して、図３（ａ）の通り自然ゲート２１の下部位置で停止させる。
【００２１】
このようにしておくことで、次の挿入された券４１ｂが搬送されてきた時に、図３（ｂ）の通り、券４１ａの後端部が自然ゲート２１で押さえ込まれることになり、券４１ａの後端部と券４１ｂの先端部の衝突による券詰まりや券折れ等を防止でき、ニ枚目の挿入券４１ｂを一枚目に挿入された券４１ａの上側に確実に重ね合わせることが可能となる。
【００２２】
なお、自然ゲート２１は、ピン３９を介し、バネ４０により図２の矢印方向に押さえつけられているが、この力は極めて弱いものであり、券の搬送力のみで自然ゲート２１をこじ開けることが可能となっている。
【００２３】
自然ゲート２１は、前述のように、保留された媒体の端面に、次の挿入された媒体の端面が衝突することにより、券詰まりが発生することを防止するためにあるが、取り扱う媒体が、例えばＰＥＴ紙のように剛性が高く反り難いものであれば、搬送ガイド２３を図２の２３ｂのように凸形状を付加することで、保留券の先端部を押え込み、また搬送ガイド２２についても図２の２２ｂのように凸形状を付加することで、次の券が保留された券の端面に衝突することを防止できるので、ゲート２１をなくすことが可能となり、機構を更に簡素にすることができる。
【００２４】
２枚目に挿入された券４１ｂを搬送時は、図１のクラッチ４２をオフにしておき、一枚目の挿入券４１ａが搬送されないようにする。４１ｂの後端がセンサ３７を通過した時点で、クラッチ４２をオンする。こうすることで、図４（ｃ）の通り、４１ａと４１ｂをずらして重ね合わせた状態で、一括して搬送することができる。
【００２５】
次に、一枚目の券と同様の搬送制御を行って二枚を一括搬送し、今度は、図４（ｅ）の通り、ニ枚目の挿入券４１ｂの後端側が自然ゲート２１の少し手前になる位置で停止させ、図４（ｆ）のように次の三枚目の券４１ｃ先端部との衝突を防止する。
【００２６】
上記の動作を繰り返すことで、図１の通り、一時スタック機構部６のドライブローラ３２ｂから搬送ベルト２４、２５間で、挿入された券全てを一枚ずつ、ずらした状態で搬送路の中で重ね合わせ、保留させることが可能となる。
【００２７】
なお、図１は、最初の保留券４１ａから最終の保留券４１ｆまで６枚保留された状態を示すものであるが、保留できる券の枚数を増やしたい場合には、搬送ベルト２４、２５の長さを長くして搬送路を延ばしたり、あるいは、券同士の重なり部分を多くすることで対応できる。
【００２８】
次に、保留した券を発行する際の動作について、図１により説明する。
本実施例の方式では、最後に保留した券４１ｆから発行を行い、最後に、最初に保留した券４１ａを発行する。券４１ｆの発行は、クラッチ４２をオンした状態で、駆動モータ２６を反時計方向に駆動させることで、ドライブローラ３２ｂ、３２ａを回転させて行う。
【００２９】
なお、券は自然ゲート２１の下側を通過し、保留時と同様に、券の搬送力によりゲート２１をこじ開けて、発行する。ここで、駆動モータ２７は停止させているので、二枚目及びそれ以降に発行する券については静止したままとなっている。
【００３０】
一枚目の磁気記録、印刷等の発行処理中に、駆動モータ２７及び２６を、クラッチ４２をオンして反時計方向に駆動させ、二枚目以降に発行する保留券を一括して、ずらして重ね合わせた状態のまま発行方向に搬送し、センサ３８の検知を契機に、発行した一枚目の券４１ｆが発行前に留まっていたのと同等の位置に券４１ｅが来たところで、駆動モータ２７及び２６を停止する。
【００３１】
次に、一枚目と同様にして二枚目の券４１ｅを発行する。なお、二枚目以降の保留券を発行方向に一括搬送する際、必ずしも駆動モータ２６を停止する必要はなく、例えば、発行処理時間を短縮したい場合などは、センサ３８の検知を契機に駆動モータ２７のみを停止させて、駆動モータ２６は停止せずそのまま駆動し、次の一枚を発行してもよい。
【００３２】
上記の発行動作を繰り返すことで、保留した券を順次に発行処理することができる。
【００３３】
以上のように、挿入された券の保留、発行制御をすることで、複数枚の券を一枚ずつ段重ねにしてずらした状態で一時スタックし、発行することが可能となり、機構を複雑化することなく、一時スタック用搬送路を短くすることができる。
【００３４】
また、長さの異なる複数種の券を一時スタックしたい場合でも、極端に券の長さが異ならない限り、本機構及び制御とすることで、発行側の段差部分の長さは、全ての券の重なり部で同一長さとなるため、同様にして保留し、発行処理することができる。
【００３５】
図５は、本一時スタック機構を用いた発券装置の一時スタック機構部の処理手順を示すフローチャートである。
【００３６】
図５（ａ）は、挿入された券を一時スタック機構部に保留する際のフローである。挿入された券がセンサ３７を通過する時に、センサ３７がダークからライトになるのを検出し（ステップ１０３）、センサ３７がライトになればクラッチ４２をオンし、保留してある券と挿入された券を同時に搬送する。
【００３７】
つまり、ここで挿入した券を保留した券と段違いで重ね合わされる（ステップ１０４）。センサ３８がダークからライトになるのを検出すれば（ステップ１０５）、駆動モータ２６及び２７を逆転させ、センサ３８がダークを検出後一定量搬送し停止する（ステップ１０６）。つまり、ここで挿入された券の後端がゲート２１の下側になるので、次の券を迎える準備ができる。
【００３８】
次の挿入券がある場合は（ステップ１０７）、同様にして次の挿入券を保留させる。次の挿入券がない場合には、処理を終了する（ステップ１０８）。
【００３９】
図５（ｂ）は、保留した券を発行する際のフローである。クラッチ４２をオンし（ステップ１２１）、モータ２６を発行方向に駆動する（ステップ１２２）。この時、モータ２７は停止したままの状態となっているので、一枚のみが引っ張り出され発行される。
【００４０】
次に発行される券があるかどうかを判断し（ステップ１２３）、保留券を全て発行し、次の券がない場合は、ここで処理を終了する。次の券がある場合は、駆動モータ２６及び２７を駆動し、残った保留券全てを発行方向に一括搬送し（ステップ１２５）、センサ３８がダークとなるのを契機に両方の駆動モータを停止する。
【００４１】
その後は、ステップ１２１以降の処理を再度行う。この処理を繰り返し、保留された券を一枚ずつ順次に発行する。
【産業上の利用可能性】
【００４２】
実施例では、航空券の発券装置を例にとって説明したが、それ以外の発券装置、例えば、鉄道用の発券装置は勿論のこと、催し物の入場券を発行する装置などにも、適用することが可能である。
【図面の簡単な説明】
【００４３】
【図１】一時スタック機構部の詳細構成図である。
【図２】一時スタック機構部のゲート代替え方式の説明図である。
【図３】本発明の一実施例を示す発券装置の側面図である。
【図４】図１における動作説明図である。
【図５】本発明の処理手順の実施形態を示すフローチャートである。
【符号の説明】
【００４４】
１…新券収納・発行部、２…磁気記録機構部、３…印刷機構部、４…排出機構部、５…券挿入機構部、６…一時スタック機構部、７…回収券回収部、１１…券挿入口、１２…読み取り用磁気ヘッド、２１…自然ゲート、２２…下側搬送ガイド、２３…上側搬送ガイド、２４、２５…搬送ベルト、２６、２７…駆動モータ、２８、２９…タイミングベルト、３０、３１…伝達ギヤ、３２…ドライブローラ、３４、３６…プーリ、３３…従動ローラ、３５…ローラ押圧バネ、３７、３８…センサ、３９…ゲートピン、４０…ゲート用バネ、４１…券４２…クラッチ
【図１】
2005301710.tif 000003
【図２】
2005301710.tif 000004
【図３】
2005301710.tif 000005
【図４】
2005301710.tif 000006
【図５】
2005301710.tif 000007